(57)【要約】【課題】枕として使用する場合であっても、枕としての十分な硬度を確保することができる枕兼用リュックサックを提供する。【解決手段】枕兼用リュックサック（１００）は、平面部（２１０）と、一端において平面部の一端（２１１）と結合し、他端において平面部の他端（２１２）との間に開口部（２１３）を形成する曲線部（２２０）と、平面部の側縁と曲線部の側縁とを接続する側部（２３０）と、を備え、剛性材料からなる本体（２００）と、本体の曲線部を覆い、発泡材料からなる発泡材料層（３００）と、本体の開口部を開閉自在に覆うカバー部材（４００）と、本体の平面部に取り付けられたショルダーベルト（５００）と、を備える。【選択図】図２
0003121078.tif 000002
【実用新案登録請求の範囲】
【請求項１】
平面部と、一端において前記平面部の一端と結合し、他端において前記平面部の他端との間に開口部を形成する曲線部と、前記平面部の側縁と前記曲線部の側縁とを接続する側部と、を備え、剛性材料からなる本体と、
前記本体の前記曲線部及び前記側部のうち、少なくとも前記曲線部を覆い、発泡材料からなる発泡材料層と、
前記本体の前記開口部を開閉自在に覆うカバー部材と、
前記本体の前記平面部に取り付けられたショルダーベルトと、
を備える枕兼用リュックサック。
【請求項２】
前記ショルダーベルトは、非使用時には、前記本体の中に収容することができる収容式ショルダーベルトであることを特徴とする請求項１に記載の枕兼用リュックサック。
【考案の詳細な説明】
【技術分野】
【０００１】
本考案は枕とリュックサックの双方として使用することができる枕兼用リュックサックに関する。
【背景技術】
【０００２】
従来の枕兼用リュックサックの一例として特開平８−２８０５０８号公報に記載されたものがある。
【０００３】
この枕兼用リュックサックは矩形のクッションを有しており、このクッションは中央で二つに区分され、一方が背負い領域、他方が収納領域となっている。
【０００４】
クッションの裏面を内側にして、クッションを二つ折りにし、背負い領域と収納領域とを重ね、これらの領域の側縁に取り付けられている線ファスナーを閉じると、枕が形成される。
【０００５】
また、クッションの表面を内側にして、クッションを二つ折りにし、線ファスナーを閉じると、リュックサックが形成される。この場合には、背負い領域に取り付けられている肩掛け用帯を両肩に掛けることにより、リュックサックを背負うことができるようになっている。
【０００６】
すなわち、クッションの裏面または表面のいずれを内側にして二つ折りにするかによって、枕またはリュックサックを形成することができる。
【考案の開示】
【考案が解決しようとする課題】
【０００７】
この従来の枕兼用リュックサックを枕として使用する場合、形成される枕はクッションを二つ折りにしただけのものであるため、ユーザーによっては、枕としての硬度が足りない、という問題があった。
【０００８】
本考案はこのような従来の枕兼用リュックサックにおける問題点に鑑みてなされたものであり、枕として使用する場合であっても、枕としての十分な硬度を確保することができる枕兼用リュックサックを提供することを目的とする。
【課題を解決するための手段】
【０００９】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている発明の技術的範囲の解釈に用いるべきものではない。
【００１０】
上記の目的を達成するため、本考案は、平面部（２１０）と、一端において前記平面部（２１０）の一端（２１１）と結合し、他端において前記平面部（２１０）の他端（２１２）との間に開口部（２１３）を形成する曲線部（２２０）と、前記平面部（２１０）の側縁と前記曲線部（２２０）の側縁とを接続する側部（２３０）と、を備え、剛性材料からなる本体（２００）と、前記本体（２００）の前記曲線部（２２０）を覆い、発泡材料からなる発泡材料層（３００）と、前記本体（２００）の前記開口部（２１３）を開閉自在に覆うカバー部材（４００）と、前記本体（２００）の前記平面部（２１０）に取り付けられたショルダーベルト（５００）と、を備える枕兼用リュックサックを提供する。
【００１１】
前記ショルダーベルト（５００）は、非使用時には、前記本体（２００）の中に収容することができる収容式ショルダーベルトであることが好ましい。
【考案の効果】
【００１２】
従来の枕兼用リュックサックを枕として使用する場合、形成される枕はクッションを二つ折りにしただけのものであるため、ユーザーによっては、枕としての硬度が足りない、という問題点があった。これに対して、本考案に係る枕兼用リュックサックにおける本体はプラスチックその他の剛性材料からつくられているため、枕としての十分な硬度をユーザーに提供することができる。さらに、本体は発泡ウレタンその他の発泡材料からなる発泡材料層に覆われているため、ユーザーの頭部が直接的に本体に接触することはなく、発泡材料層に接触することになるため、本体の硬度感が緩和され、ユーザーは適度な柔らかさを感じることができる。
【考案を実施するための最良の形態】
【００１３】
図１は本考案の一実施形態に係る枕兼用リュックサック１００の斜視図である。図２は図１のＡ−Ａ線における断面図である。図３は、図１のＢ方向から見たときの枕兼用リュックサック１００の斜視図である。また、図４は、図１のＣ方向から見たときの枕兼用リュックサック１００の斜視図である。
【００１４】
本実施形態に係る枕兼用リュックサック１００は、本体２００と、発泡材料層３００と、カバー部材４００と、一対のショルダーベルト５００と、から構成されている。
【００１５】
本体２００は、図１及び図２に示すように、平面形状をなす平面部２１０と、一端において平面部２１０の一端２１１と結合し、他端において平面部２１０の他端２１２との間に開口部２１３を形成する曲線部２２０と、平面部２１０の側縁と曲線部２２０の側縁とを接続する側部２３０（図１参照）と、から構成されている。
【００１６】
本体２００は、ポリプロピレンその他のプラスチック、アルミニウムその他の金属などの剛性材料からつくられている。
【００１７】
発泡材料層３００は本体２００の曲線部２２０及び側部２３０を覆って形成されている。発泡材料層３００は発泡ウレタンその他の発泡材料からつくられており、一定の厚さを有している。
【００１８】
なお、本体２００の曲線部２２０のみを発泡材料層３００により覆うようにすることも可能である。
【００１９】
図３に示すように、本体の開口部２１３はカバー部材４００により覆われている。カバー部材４００は、線ファスナーを介して、開口部２１３の周縁と接続されている。すなわち、カバー部材４００は本体２００の開口部２１３に対して開閉自在であり、開口部２１３を閉じておくときは、カバー部材４００を線ファスナーで開口部２１３の周縁に止め、開口部２１３を開くときは、図３に示すように、線ファスナーを開くことにより、カバー部材４００は開口部２１３に対して開く。
【００２０】
図４に示すように、一対のショルダーベルト５００は本体２００の平面部２１０に取り付けられている。
【００２１】
一対のショルダーベルト５００の各々は、上部ベルト５０１と、上部ベルト５０１に一端に取り付けられた雌コネクタ５０２と、下部ベルト５０３と、下部ベルト５０３の一端に取り付けられた雄コネクタ５０４と、から構成されている。
【００２２】
上部ベルト５０１及び下部ベルト５０３の他端は本体２００の平面部２１０に形成された開口部５０５、５０６を介して本体２００の内部に挿入されている。上部ベルト５０１及び下部ベルト５０３の他端にはストッパープレート（図示せず）が取り付けられており、上部ベルト５０１及び下部ベルト５０３の他端が本体２００から抜け出ないようになっている。
【００２３】
雌コネクタ５０２と雄コネクタ５０４とを結合させることにより、ユーザーは本実施形態に係る枕兼用リュックサック１００を背負うことができる。
【００２４】
以上のような構造を有する本実施形態に係る枕兼用リュックサック１００はリュックサックとして、あるいは、枕として使用することができる。
【００２５】
先ず、本実施形態に係る枕兼用リュックサック１００をリュックサックとして使用する場合には、図４（Ａ）に示すように、上部ベルト５０１及び下部ベルト５０３を本体２００の中から引き出し、雌コネクタ５０２と雄コネクタ５０４とを結合させる。
【００２６】
荷物は、線ファスナーを開くことにより、カバー部材４００を開口部２１３に対して開いた後、本体２００の中に入れる。
【００２７】
この後、ユーザーがショルダーベルト５００を介して本実施形態に係る枕兼用リュックサック１００を背負う。
【００２８】
また、本実施形態に係る枕兼用リュックサック１００を枕として使用する場合には、図４（Ｂ）に示すように、一対のショルダーベルト５００の各々の上部ベルト５０１及び下部ベルト５０３を本体２００の中に引き入れる。
【００２９】
次いで、図５に示すように、本体２００の平面部２１０が床面に接するようにして、枕兼用リュックサック１００を床面の上に置く。これにより、図５に示すように、ユーザー６００は本実施形態に係る枕兼用リュックサック１００を枕として使用することができる。
【００３０】
従来の枕兼用リュックサックを枕として使用する場合、形成される枕はクッションを二つ折りにしただけのものであるため、ユーザーによっては、枕としての硬度が足りない、という問題点があった。
【００３１】
これに対して、本実施形態に係る枕兼用リュックサック１００における本体２００がプラスチックその他の剛性材料からつくられているため、枕としての十分な硬度をユーザーに提供することができる。
【００３２】
さらに、本体２００は発泡ウレタンその他の発泡材料からなる発泡材料層３００に覆われているため、ユーザーの頭部が直接的に本体２００に接触することはなく、発泡材料層３００に接触することになるため、本体２００の硬度感が緩和され、ユーザーは適度な柔らかさを感じることができる。
【００３３】
本実施形態に係る枕兼用リュックサック１００においては、一対のショルダーベルト５００の各々は、非使用時には、本体２００の中に取り入れることができるようになっているが、ショルダーベルト５００の構造はこれには限定されない。ショルダーベルト５００を本体２００の平面部２１０に固定的に取り付けることも可能である。
【００３４】
また、本実施形態に係る枕兼用リュックサック１００においては、発泡材料層３００は一定の厚さを有するものとして形成されているが、発泡材料層３００は必ずしも一定の厚さを有することは必要ではない。必要に応じて、発泡材料層３００の厚さを変更することも可能である。例えば、平面部２１０の一端２１１から本体２００の開口部２１３に向かって開口部２１３に近くなるほど、発泡材料層３００の厚さを大きくするようにすることもできる。
【図面の簡単な説明】
【００３５】
【図１】本考案の一実施形態に係る枕兼用リュックサックの斜視図である。
【図２】図１のＡ−Ａ線における断面図である。
【図３】図１のＢ方向から見たときの本考案の一実施形態に係る枕兼用リュックサックの斜視図である。
【図４】図１のＣ方向から見たときの本考案の一実施形態に係る枕兼用リュックサックの斜視図である。
【図５】本考案の一実施形態に係る枕兼用リュックサックを枕として使用する場合の使用状況を示す斜視図である。
【符号の説明】
【００３６】
１００  本考案の一実施形態に係る枕兼用リュックサック
２００  本体
２１０  平面部
２２０  曲線部
２３０  側部
３００  発泡材料層
４００  カバー部材
５００  ショルダーベルト
５０１  上部ベルト
５０２  雌コネクタ
５０３  下部ベルト
５０４  雄コネクタ
６００  ユーザー
【図１】
0003121078.tif 000003
【図２】
0003121078.tif 000004
【図３】
0003121078.tif 000005
【図４】
0003121078.tif 000006
【図５】
0003121078.tif 000007